(57)【要約】【課題】  3C電子製品に自由に粘着し、クリーンに使用とする際、手に簡単に取れる粘着性布巾を提供する。【解決手段】  基材と、該基材の一面に塗布されることにより、該基材をある物品に繰り返して粘着可能な膠体とを含むことを特徴とする。前記膠体の粘着性により、該基材を水洗しても、繰り返してある物品（例えば3C電子製品）に粘着することができる。該ある物品の保護シートとして使用することにより、該物品に対して損傷や衝撃を避けることができるだけではなく、該物品と一緒に外へ携帯する場合、クリーンに使用とする際、手に簡単に取れる。又、該布巾の基材の光学反射功能により、マウスパッドとして使用することができる。【選択図】  図１
0003157479.tif 000002
【実用新案登録請求の範囲】
【請求項１】
基材と、該基材の一面に塗布されることにより、該基材をある物品に繰り返して粘着可能な膠体とを含むことを特徴とする粘着性布巾。
【請求項２】
前記基材の他面にパターン又は文字を印刷することを特徴とする請求項１に記載の粘着性布巾。
【請求項３】
前記基材は、針織りの微細繊維布、梭織りの微細繊維布、不織布、ポリエステルの梭織り布、ポリエステルの針織り布又は毛布の何れかであることを特徴とする請求項１に記載の粘着性布巾。
【請求項４】
前記膠体は、合成ゴム又は合成シリコンであることを特徴とする請求項１に記載の粘着性布巾。
【請求項５】
基材と、該基材の一面に設けられる両面テープと、該両面テープに設けられると共に、該基材の一面に位置されることにより、該基材をある物品に繰り返して粘着可能な粘着性体とを含むことを特徴とする粘着性布巾。
【請求項６】
前記基材の他面にパターン又は文字を印刷することを特徴とする請求項５に記載の粘着性布巾。
【請求項７】
前記基材は、針織りの微細繊維布、梭織りの微細繊維布、不織布、ポリエステルの梭織り布、ポリエステルの針織り布又は毛布の何れかであることを特徴とする請求項５に記載の粘着性布巾。
【請求項８】
前記両面テープは、ポリプロピレン（PP）又はポリエチレンテレフタラート（PET）であることを特徴とする請求項５に記載の粘着性布巾。
【請求項９】
前記粘着性体は、シリコン、エポキシ樹脂、ゴム、紫外線（UV）硬化性樹脂、感圧樹脂又はポリウレタン（PU）の何れかであることを特徴とする請求項５に記載の粘着性布巾。
【考案の詳細な説明】
【技術分野】
【０００１】
本考案は、特に3C電子製品に自由に粘着し、クリーンに使用とする際、手に簡単に取れる粘着性布巾に関するものである。
【背景技術】
【０００２】
布巾は、机や椅子などの日常製品のクリーンによく使用される。又、めがね、保護めがね、コンピュータのスクリーン及び携帯電話などの3C電子製品や生活関連製品の布巾としては、主に一枚の皮又は布の繊維から織ってなるものである。なお、前記布巾はよく使用されるものであるため、特に特許文献や非特許文献に記載されていない。
【考案の概要】
【考案が解決しようとする課題】
【０００３】
しかしながら、前記布材質である布巾は他の効果を有しなく、例えば、3C電子製品に繰り返して粘着することにより、便利に携帯することができないため、使用上、非常に不便である。
【０００４】
そこで、案出されたのが本考案であって、3C電子製品に自由に粘着し、クリーンに使用とする際、手に簡単に取れる粘着性布巾を提供することを目的としている。
【課題を解決するための手段】
【０００５】
本願の第１の目的は、一面に繰り返して粘着可能な膠体が設けられることにより、ある物品（例えば3C電子製品）に自由に粘着でき、クリーンに使用とする際、手に簡単に取れる粘着性布巾を提供する。
【０００６】
本願の第２の目的は、膠体の粘着性により、何回に水洗しても、繰り返してある物品（例えば3C電子製品）に自由に粘着できる粘着性布巾を提供する。
【０００７】
本願の第３の目的は、ある物品（例えば3C電子製品）に粘着する際、該物品の保護シートとして使用されることにより、該物品に対して損傷や衝撃を避けることができる粘着性布巾を提供する。
【０００８】
本願の第４の目的は、布巾の基材をコンピュータ机に粘着する際、該布巾の基材の光学反射功能により、マウスパッドとして使用することができる粘着性布巾を提供する。
【０００９】
前記の目的を達成するために、本考案は、布巾の基材の一面に繰り返して粘着可能な膠体が設けられることを特徴とする。
【考案の効果】
【００１０】
本考案は上記の課題を解決するものであり、前記膠体の粘着性により、該基材を水洗しても、繰り返してある物品（例えば3C電子製品）に粘着することができる。該ある物品の保護シートとして使用することにより、該物品に対して損傷や衝撃を避けることができるだけではなく、該物品と一緒に外へ携帯する場合、クリーンに使用とする際、手に簡単に取れる。又、該布巾の基材の光学反射功能により、マウスパッドとして使用することができる。
【図面の簡単な説明】
【００１１】
【図１】本考案に係る粘着性布巾の実施例を示す斜視図である。
【図２】本考案に係る粘着性布巾の他の実施例を示す斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１に示すように、本考案に関わる粘着性布巾は、基材（１１）を有し、該基材（１１）の一面に繰り返して粘着可能な膠体（１２）が塗布されることにより、該基材（１１）は、該膠体（１２）を介してある物品（例えば3C電子製品）に繰り返して粘着されることができる。
【００１４】
前記の構成を有するため、本考案に関わる粘着性布巾を使用する場合、該基材（１１）を3C電子製品に粘着することにより、該3C電子製品と一緒に外へ携帯するころができ、クリーンに使用とする際、該3C電子製品から手に簡単に取れることにより、該3C電子製品のクリーンを行うことができる。
【００１５】
又、図１に示すように、該基材（１１）は、針織りの微細繊維布、梭織りの微細繊維布、不織布、ポリエステルの梭織り布、ポリエステルの針織り布又は毛布の何れかである。更に、該膠体（１２）の粘着性により、該基材（１１）を水洗しても、該ある物品に繰り返して粘着することができると共に、使用寿命も延長することができる。なお、該基材（１１）の他面にパターン又は文字（１３）を印刷することができるので、企業又は個人の需要に応じて関連字体、企業商標（LOGO）、個人パターン又は色彩に従って広告又は宣伝の目的を達成することができる。
【００１６】
又、本考案に関わる粘着性布巾は、その基材（１１）がコンピュータ机に粘着することができ、該基材（１１）の光学反射功能により、マウスパッドとして使用することができる。該基材（１１）をある物品に粘着する際、該物品の保護シートとして使用されることにより、該物品に対して損傷や衝撃を避けることができる。
【００１７】
更に、該膠体（１２）は合成ゴム又は合成シリコンである。
【００１８】
又、図２に示すように、本考案に関わる粘着性布巾の他の実施例は、該基材（１１）の一面に両面テープ（２１）は設けられ、該両面テープ（２１）に繰り返して粘着可能な粘着性体（２２）が設けられ、該粘着性体（２２）は該基材（１１）の一面に位置されることにより、該基材（１１）は該粘着性体を介してある物品に繰り返して粘着することができる。又、該基材の他面にパターン又は文字（１３）を印刷することができるので、企業又は個人の需要に応じて関連字体、企業商標（LOGO）、個人パターン又は色彩に従って広告又は宣伝の目的を達成することができる。該基材（１１）を3C電子製品に粘着することにより、該3C電子製品と一緒に外へ携帯するころができ、クリーンに使用とする際、該3C電子製品から手に簡単に取れることにより、該3C電子製品のクリーンを行うことができる。
【００１９】
当該他の実施例において、該基材（１１）は、針織りの微細繊維布、梭織りの微細繊維布、不織布、ポリエステルの梭織り布、ポリエステルの針織り布又は毛布の何れかである。
【００２０】
当該他の実施例において、該両面テープ（２１）は、ポリプロピレン（PP）又はポリエチレンテレフタラート（PET）である。
【００２１】
当該他の実施例において、該粘着性体（２２）は、シリコン、エポキシ樹脂、ゴム、紫外線（UV）硬化性樹脂、感圧樹脂又はポリウレタン（PU）の何れかである。
【産業上の利用可能性】
【００２２】
本考案は上記の構成を有するので、前記膠体の粘着性により、該基材を水洗しても、繰り返してある物品（例えば3C電子製品）に粘着することができる。該ある物品の保護シートとして使用することにより、該物品に対して損傷や衝撃を避けることができるだけではなく、該物品と一緒に外へ携帯する場合、クリーンに使用とする際、手に簡単に取れる。又、該布巾の基材の光学反射功能により、マウスパッドとして使用することができる。
【符号の説明】
【００２３】
１１        基材
１２        膠体
１３        パターン又は文字
２１        両面テープ
２２        粘着性体
【図１】
0003157479.tif 000003
【図２】
0003157479.tif 000004